(57)【要約】【課題】製作コスト及び製作時間を低減し、容易に組立て及び運送できる収納容器及びこれを備える表示装置を提供する。【解決手段】それぞれ第１壁１１１ａ，１１２ａ，１１３ａ，１１４ａと第２壁１１１ｂ，１１２ｂ，１１３ｂ，１１４ｂとからなる多数の分割パーツ１１１，１１２，１１３，１１４と、各分割パーツの端に形成されて互いに嵌め合わされることにより、隣接する分割パーツを接続する水平嵌合部材１１１ｃ，１１２ｃ，１１３ｃ，１１４ｃと、を含むことを特徴とする収納容器１１０。【選択図】図２
2008116903.tif 000002
【特許請求の範囲】
【請求項１】
それぞれ第１壁及び第２壁からなる多数の分割パーツと、
前記各分割パーツの端に形成され、互いに嵌め合わされることにより、隣接する前記分割パーツを接続する水平嵌合部材と、を備えることを特徴とする収納容器。
【請求項２】
前記水平嵌合部材は、前記第２壁の端に形成され、互いに隣接する前記第２壁により形成される壁面における、互いに隣接する前記第２壁同士の相対位置を固定し、互いに隣接する前記分割パーツを接続することを特徴とする請求項１に記載の収納容器。
【請求項３】
前記水平嵌合部材は、突起または溝からなり、前記突起及び前記溝は、互いに嵌め合わせることができることを特徴とする請求項１または２に記載の収納容器。
【請求項４】
前記突起は、端が前記突起の他の部分の幅に比べて広い幅を有するかまたは端が曲げられて形成され、前記溝は、前記突起の形状に対応した形状を有することを特徴とする請求項３に記載の収納容器。
【請求項５】
前記分割パーツが、押出成形により形成されることを特徴とする請求項１〜４のいずれか１項に記載の収納容器。
【請求項６】
前記分割パーツの断面は、均一な形状及び均一な厚さで形成されることを特徴とする請求項１〜５のいずれか１項に記載の収納容器。
【請求項７】
前記第１壁の端に形成され、互いに隣接する前記分割パーツを接続する垂直嵌合部材をさらに備え、前記垂直嵌合部材は、前記第１壁の互いに隣り合う前記端のうちの一方が、他方の前記端に沿ってずれることを防止することを特徴とする請求項１〜６のいずれか１項に記載の収納容器。
【請求項８】
前記垂直嵌合部材は、突起または溝からなり、前記突起及び前記溝は、互いに嵌め合わせることができることを特徴とする請求項７に記載の収納容器。
【請求項９】
前記水平嵌合部材の接続部に形成されて前記接続部を補強するくぼみをさらに備えることを特徴とする請求項１〜８のいずれか１項に記載の収納容器。
【請求項１０】
前記くぼみは、互いに隣接する前記第２壁により形成される壁面に形成されることを特徴とする請求項９に記載の収納容器。
【請求項１１】
映像情報を表示するパネルと、
前記パネルを収納する第１収納容器と、
前記第１収納容器と接続して前記パネルを収納し、前記パネルの表示領域を露出させる第２収納容器とを備え、
前記第２収納容器は、それぞれ第１壁及び第２壁からなる多数の分割パーツと、
前記各分割パーツの端に形成され、互いに嵌め合わされることにより、隣接する前記分割パーツを接続する水平嵌合部材と、を備えることを特徴とする表示装置。
【請求項１２】
前記水平嵌合部材は、前記第２壁の端に形成され、互いに隣接する前記第２壁により形成される壁面における、互いに隣接する前記第２壁同士の相対位置を固定し、互いに隣接する前記分割パーツを接続することを特徴とする請求項１１に記載の表示装置。
【請求項１３】
前記水平嵌合部材は、突起または溝からなり、前記突起及び前記溝は、互いに嵌め合わせることができることを特徴とする請求項１１または１２に記載の表示装置。
【請求項１４】
前記突起は、端が前記突起の他の部分の幅に比べ広い幅を有するかまたは端が曲げられて形成され、前記溝は、前記突起の形状に対応した形状を有することを特徴とする請求項１３に記載の表示装置。
【請求項１５】
前記分割パーツが、押出成形により形成されることを特徴とする請求項１１〜１４のいずれか１項に記載の表示装置。
【請求項１６】
前記分割パーツの断面は、均一な形状及び均一な厚さで形成されることを特徴とする請求項１１〜１５のいずれか１項に記載の表示装置。
【請求項１７】
前記第１壁の端に形成され、互いに隣接する前記分割パーツを接続する垂直嵌合部材をさらに備え、前記垂直嵌合部材は、前記第１壁の互いに隣り合う前記端のうちの一方が、他方の前記端に沿ってずれることを防止することを特徴とする請求項１１〜１６のいずれか１項に記載の表示装置。
【請求項１８】
前記垂直嵌合部材は、突起または溝からなり、前記突起及び前記溝は、互いに嵌め合わせることができることを特徴とする請求項１７に記載の表示装置。
【請求項１９】
前記水平嵌合部材の接続部に形成されて前記接続部を補強するくぼみをさらに備えることを特徴とする請求項１１〜１８のいずれか１項に記載の表示装置。
【請求項２０】
前記くぼみは、互いに隣接する前記第２壁により形成される壁面に形成されることを特徴とする請求項１９に記載の表示装置。
【発明の詳細な説明】
【技術分野】
【０００１】
本発明は、収納容器及びこれを備える表示装置に関し、より詳しくは製作コストが低減され、また製作時間が短縮された、組立て及び運送が容易な収納容器及びこれを備える表示装置に関する。
【背景技術】
【０００２】
表示装置のうち液晶表示装置は、現在広く使用されている平面表示装置の１つであって、電極が形成されている２枚の基板と、その間に挿入されている液晶層とからなり、電極に電圧を印加して液晶層の液晶分子を再配列させることによって透過する光の量を調節する表示装置である。
【０００３】
液晶表示装置には液晶パネル、拡散板及び反射シートなど多数の内部部品が必要であり、このような多数の内部部品は、収納容器、例えばトップシャーシ、ボトムシャーシ及びモールドフレームなどの収納容器に収納されて液晶表示装置が構成される。ここで収納容器は、例えばプレス加工などにより製作できる。
【０００４】
近年、液晶表示装置に関する需要が急増しており、液晶表示装置の大量生産並びに液晶表示装置の単純化、軽量化、スリム化及び低コスト化が要求されている。しかし、従来のプレス加工により生産された収納容器の場合、多数の金型を用いて生産するため、製作コスト及び製作時間が増えて前述した要求に応じることができない。
【０００５】
また、液晶表示装置が大面積化するのに伴い収納容器も大型化し、収納容器をそのままの状態で運送し難く、また運送費用が増加するという問題がある。
【特許文献１】韓国公開特許２００１−６４８９１号公報
【発明の開示】
【発明が解決しようとする課題】
【０００６】
本発明が達成しようとする目的は、製作コストが低減されまた製作時間が短縮された、組立て及び運送が容易な収納容器を提供することである。
【０００７】
本発明が達成しようとする他の目的は、このような収納容器を備える表示装置を提供することである。
【課題を解決するための手段】
【０００８】
前記目的を達成するための本発明の収納容器は、それぞれ第１壁及び第２壁からなる多数の分割パーツと、各分割パーツの端に形成され、互いに嵌め合わされることにより、隣接する分割パーツを互いに接続する水平嵌合部材とを備える。
【０００９】
なお、水平嵌合部材は、第２壁の端に形成され、互いに隣接する第２壁により形成される壁面における、互いに隣接する第２壁同士の相対位置を固定し、互いに隣接する分割パーツを接続することを特徴とする。
【００１０】
さらに、収納容器は、第１壁の端に形成され、互いに隣接する分割パーツを接続する垂直嵌合部材を備え、垂直嵌合部材は、第１壁の互いに隣り合う端のうちの一方が、他方の端に沿ってずれることを防止することを特徴とする。
【００１１】
また、収納容器は、分割パーツが、押出成形により形成されることを特徴とする。
【００１２】
前記他の目的を達成するための本発明の表示装置は、映像情報を表示するパネルと、パネルを収納する第１収納容器と、第１収納容器と接続してパネルを収納し、パネルの表示領域を露出させる第２収納容器とを備える。ここで第２収納容器は、それぞれ第１壁及び第２壁からなる多数の分割パーツと、各分割パーツの端に形成され、互いに嵌め合わされることにより、隣接する分割パーツを互いに接続する水平嵌合部材を備える。
【００１３】
なお、水平嵌合部材は、第２壁の端に形成され、互いに隣接する第２壁により形成される壁面における、互いに隣接する第２壁同士の相対位置を固定し、互いに隣接する分割パーツを接続することを特徴とする。
【００１４】
さらに、表示装置は、第１壁の端に形成され、互いに隣接する分割パーツを接続する垂直嵌合部材をさらに備え、垂直嵌合部材は、第１壁の互いに隣り合う端のうちの一方が、他方の端に沿ってずれることを防止することを特徴とする。
【００１５】
また、表示装置は、分割パーツが、押出成形により形成されることを特徴とする。
【発明の効果】
【００１６】
本発明による収納容器及びこれを備える表示装置によれば、分割型収納容器を用いて表示装置を構成することによって運送が容易であり、運送費用を減らす効果がある。また、分割型収納容器を構成する各分割パーツを押出成形で形成することによって、加工時間及び加工コストを減らすことができる。プレス加工に比べて、押出成形で形成する場合、別途の金型を製作する必要がないため、金型製作コストを減らすことができる。さらに水平嵌合部材または垂直嵌合部材を用いて容易でかつ効果的に各分割パーツを接続することができる。
【発明を実施するための最良の形態】
【００１７】
本発明の利点及び特徴、そしてそれらを達成する方法は、添付する図面とともに詳細に後述する実施形態を参照することにより明確になる。しかし、本発明は、以下に開示する実施形態に限定されず、特許請求の範囲の範囲内で相異なる多様な形態によって具現できる。
【００１８】
図面において、層及び領域の大きさ並びに層及び領域の相対的な大きさは、説明を理解し易くするため、誇張されているものがある。
【００１９】
構成要素または層が、他の構成要素または層の「上に」という場合、他の構成要素または層の真上だけでなく、中間に他の層または他の構成要素が介在している場合も含む。一方、構成要素が「真上に」という場合、中間に他の構成要素または層が介在しないことを表す。「及び／または」という場合、言及する各構成要素及び構成要素のあらゆる組合せを含む。
【００２０】
空間的な位置関係を示す用語である「下」、「下部」、「上」、「上部」などは、図面に示されている１つの特徴と他の特徴との関係または１つの構成要素と他構成要素との関係を容易に記述するために使うことがある。なお、１つの特徴と他の特徴との相対的な位置関係、または１つの構成要素と他構成要素との相対的な位置関係は、使用時または動作時において、図面に示されている相対的な位置関係と同じである。明細書の全体にわたり同じ参照符号は、同じ構成要素を示す。
【００２１】
本明細書で記述する実施形態は、本発明の理想的な概略図である平面図及び断面図を参照して説明する。したがって、製造技術及び／または許容誤差などにより例示する図の形態が変化することもある。本発明の実施形態は、図示する特定の形態に制限されず、製造工程によって生ずる形態の変化も含む。図面で例示した形態は、概略的なものであり、図面で例示した形態は、構成要素の一形態を例示するためのものであって、発明の範疇を制限するためのものではない。
【００２２】
以下、本発明による好ましい実施形態を、添付する図面を参照して詳細に説明する。
【００２３】
本発明で使用する表示装置は、格子パターンを有する画素によって光を放出する、液晶表示装置、ＰＤＰ装置、ＯＬＥＤ装置またはＦＥＤ装置などに多様に適用できる。以下、説明の便宜上、液晶表示装置及びこれに使用される収納容器を用いて本発明を説明するが、本発明はこれに限定されず、前述した多様な表示装置及びこれに使用される収納容器に適用できる。
【００２４】
以下、図１〜図５を参照して、本発明の一実施形態による収納容器及びこれを備える液晶表示装置について詳細に説明する。
【００２５】
図１は、本発明の一実施形態による液晶表示装置を示す分解斜視図である。図１を参照すれば、液晶表示装置１００は、映像情報を表示する液晶パネルアセンブリ１３０、液晶パネルアセンブリ１３０に光を放出するバックライトユニット１４０、及びバックライトユニット１４０と接続して液晶パネルアセンブリ１３０を収納する第２収納容器１１０を備える。
【００２６】
液晶パネルアセンブリ１３０は、薄膜トランジスタ基板１３３、共通電極基板１３４を備える液晶パネル１３６、液晶（図示せず）、ゲートテープキャリアパッケージ１３１、データテープキャリアパッケージ１３２及び印刷回路基板１３５を備える。
【００２７】
液晶パネル１３６は、ゲートライン（図示せず）、データライン（図示せず）、薄膜トランジスタアレイ及び画素電極などを含む薄膜トランジスタ基板１３３と、ブラックマトリックス及び共通電極などを含み、薄膜トランジスタ基板１３３に対向するように配置された共通電極基板１３４とを備える。
【００２８】
そして、ゲートテープキャリアパッケージ１３１は、薄膜トランジスタ基板１３３に形成された各ゲートライン（図示せず）に接続され、データテープキャリアパッケージ１３２は、薄膜トランジスタ基板１３３に形成された各データライン（図示せず）に接続される。
【００２９】
一方、ゲート駆動信号及びデータ駆動信号を処理するためのさまざまな駆動素子が、印刷回路基板１３５に実装されており、ゲートテープキャリアパッケージ１３１にゲート駆動信号を入力することができ、データテープキャリアパッケージ１３２にデータ駆動信号を入力することができる。
【００３０】
そして、バックライトユニット１４０は、光学シート１４１、拡散板１４２、ランプ１４３、反射板１４４、これらを収納する収納フレーム１５０及び第１収納容器１６０を備える。
【００３１】
ランプ１４３としては、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）などを使用することができる。このようなランプ１４３は、外部からランプ１４３に印加されたランプ駆動電圧により光を発生する。また、ランプ１４３は、一定の間隔をおいて平行に、かつ高さが等しく配置されており、直下型の構成を有する。ランプ１４３内部の放電ガスの分布を一定にして均一な輝度を得るために、ランプ１４３は、液晶パネル１３６に対して横方向に配列するのが好ましい。ランプ１４３の端には、ランプ１４３にランプ駆動電圧を印加し、ランプ１４３を支持及び固定するランプソケット（図示せず）が設けられる。また、ランプ１４３としてはＬＥＤを使用することもできる。
【００３２】
反射板１４４は、ランプ１４３の下方に設置されてランプ１４３の下方に放出される光を上方に反射する。反射板１４４は、合成樹脂製のシートに酸化チタンなどの白色顔料を分散させたり、光を散乱させるための気泡を分散させたりすることにより製造できる。また、反射板１４４は、第１収納容器１６０の底面に一体に形成させることができる。すなわち、第１収納容器１６０をアルミニウム（Ａｌ）またはアルミニウム合金など反射率の高い物質で構成し、第１収納容器１６０自体が、反射板１４４の機能を有するように構成することもできる。
【００３３】
ランプ１４３は、反射板１４４上に配置されたランプ固定ユニット１４５により固定される。
【００３４】
拡散板１４２は、ランプ１４３の上方に設置され、ランプ１４３で発生した光を拡散させて光の輝度均一性を向上させる役割をする。拡散板１４２は、拡散剤が添加された透明樹脂層で構成される。ここで拡散剤は、シリコン拡散剤、マグネシウム拡散剤または酸化カルシウム拡散剤などを含む。また透明樹脂層は、ポリメチルメタクリレート（ＰＭＭＡ）、メチルスチレン（ＭＳ）、ポリスチレン（ＰＳ）、ポリカーボネート（ＰＣ）などを含むことができる。
【００３５】
そして、光学シート１４１は、拡散板１４２の上方に設置され、ランプ１４３から放射される光を拡散し集光する役割をする。光学シート１４１は、例えば拡散シート、第１プリズムシート、第２プリズムシートなどを含む。
【００３６】
ここで拡散シートは、ランプ１４３の上方に位置し、ランプ１４３から放射される光の輝度及び輝度均一性を向上させる役割をする。
【００３７】
第１プリズムシートは、拡散シートの上方に位置し、第１プリズムシートの一面には拡散シートから拡散された光を集光して出射するための三角柱状のプリズムパターン（図示せず）が一定の配列で形成されている。例えば、第１プリズムシートとしては輝度向上フィルムを使用することができる。
【００３８】
第２プリズムシートは、第１プリズムシートの上方に位置し、光を集光及び偏光して出射する多層構造の反射型偏光性フィルムである。例えば、第２プリズムシートとしてはＤＢＥＦ（Ｄｕａｌ  Ｂｒｉｇｈｔｎｅｓｓ  Ｅｎｈａｎｃｅｍｅｎｔ  Ｆｉｌｍ）を使用することができる。ただし、第１プリズムシートだけでも輝度及び視野角を十分に確保することができる場合、第２プリズムシートは省くことができる。
【００３９】
このような光学シート１４１は、バックライトユニット１４０の仕様によって多様に変更できる。
【００４０】
反射板１４４、ランプ１４３、拡散板１４２、及び光学シート１４１は、順次に第１収納容器１６０に収納され、収納フレーム１５０は、第１収納容器１６０の上方から第１収納容器１６０に組み合わされる。液晶パネル１３６は、収納フレーム１５０によって支持されて光学シート１４１上に配置される。収納フレーム１５０は、矩形形状の縁に沿って形成された側壁により構成され、内側壁に段差部または突起部が形成されており、液晶パネルアセンブリ１３０を支持することができる構造を有する。
【００４１】
第１収納容器１６０は矩形状であり、上面の縁に沿って側壁が形成されて側壁内に反射板１４４、ランプ１４３、拡散板１４２、及び光学シート１４１を収容して固定させる。
また、ランプ固定ユニット１４５は、ランプ１４３を固定する役割以外に、拡散板１４２及び光学シート１４１を支持して撓むことを防止する役割をする。このようなランプ固定ユニット１４５は、反射板１４４上に配置されたプレートと、プレート上に形成されてランプ１４３を固定するグリップ部と、プレート上に形成されて拡散板１４２及び光学シート１４１を支持する支持部とで構成されている。プレートの底面には固定フック（図示せず）が形成され、反射板１４４を貫通して第１収納容器１６０の底面に形成された開口部（図示せず）と結合することによって、ランプ固定ユニット１４５は、第１収納容器１６０に固定されている。
【００４２】
そして、液晶パネルアセンブリ１３０の印刷回路基板１３５は、第１収納容器１６０の外側壁に沿って折り曲げられ、第１収納容器１６０の側壁または背面に安着される。ここで、光学シート１４１、拡散板１４２、ランプ１４３及び反射板１４４を第１収納容器１６０に収納する方法によって、第１収納容器１６０の形状は、多様に変形できる。
【００４３】
さらに、収納フレーム１５０上に配置された液晶パネル１３６の上面を覆うように、第２収納容器１１０が、第１収納容器１６０と接続する。第２収納容器１１０の上面には液晶パネル１３６の表示領域を外部に露出させるウィンドウが形成されている。第２収納容器１１０は、フック結合（図示せず）またはねじ結合（図示せず）などによって第１収納容器１６０と締結できる。このような第２収納容器１１０は、組立て及び運送が容易であり、大面積の液晶パネル１３６に適応するように分割型で構成することができる。
【００４４】
以下、図２〜図５を参照して本発明の一実施形態による第２収納容器について説明する。ここで図２は、図１の液晶表示装置に含まれた第２収納容器の分解斜視図である。図３は、図２の第２収納容器を部分的に拡大した斜視図である。図４は、図３の第２収納容器を組立てた斜視図である。図５は、図４の第２収納容器の背面斜視図である。
【００４５】
図２〜図４を参照すれば、本発明の一実施形態による第２収納容器１１０は、４つの分割パーツ１１１，１１２，１１３，１１４により構成されている。液晶表示装置が大面積化するのに伴い第２収納容器１１０も大型化するが、このように第２収納容器１１０を分割型で構成することによって、第２収納容器１１０を運搬しようとする場合、分割パーツ１１１，１１２，１１３，１１４を分割した状態で運搬してから組立てることができるので運送費用を減らす効果がある。
【００４６】
各分割パーツ１１１，１１２，１１３，１１４は、互いに連結された第１壁１１１ａ，１１２ａ，１１３ａ，１１４ａと第２壁１１１ｂ，１１２ｂ，１１３ｂ，１１４ｂとからなり、Ｌ字状の断面を有する。各分割パーツ１１１，１１２，１１３，１１４は、金属、例えばＳＵＳなどからなり、押出成形で形成できる。プレス加工に比べて、押出成形により各分割パーツ１１１，１１２，１１３，１１４を形成する場合、加工時間及び加工コストを減らすことができる。また別途の金型を製作する必要がないため金型製作コストを減らすことができる。なお、以下では第１壁を側壁と呼び、第２壁は上壁と呼ぶ。
【００４７】
このように各分割パーツ１１１，１１２，１１３，１１４を押出成形で形成する場合、各分割パーツ１１１，１１２，１１３，１１４の断面は、実質的に均一な形状及び実質的に均一な厚さで形成される。
【００４８】
隣接する分割パーツ１１１，１１２，１１３，１１４は、嵌め合わせることによって互いに連結できる。具体的には、各分割パーツ１１１，１１２，１１３，１１４の上壁１１１ｂ，１１２ｂ，１１３ｂ，１１４ｂの両端には水平嵌合部材１１１ｃ，１１２ｃ，１１３ｃ，１１４ｃが形成されている。すなわち、第１、第２、第３及び第４分割パーツ１１１，１１２，１１３，１１４は、それぞれ第１、第２、第３及び第４側壁１１１ａ，１１２ａ，１１３ａ，１１４ａ、ならびに第１、第２、第３及び第４上壁１１１ｂ，１１２ｂ，１１３ｂ，１１４ｂからなり、第１、第２、第３及び第４上壁１１１ｂ，１１２ｂ，１１３ｂ，１１４ｂの両端には、それぞれ第１、第２、第３及び第４水平嵌合部材１１１ｃ，１１２ｃ，１１３ｃ，１１４ｃが形成されている。
【００４９】
隣接する分割パーツ１１１，１１２，１１３，１１４に形成された水平嵌合部材１１１ｃ，１１２ｃ，１１３ｃ，１１４ｃは、互いに嵌め合わせることができるように、突起または溝で形成されている。例えば第１分割パーツ１１１の両端に形成された第１水平嵌合部材１１１ｃは、第２分割パーツ１１２の第２水平嵌合部材１１２ｃ及び第４分割パーツ１１４の第４水平嵌合部材１１４ｃと嵌め合わされる。そして、第３分割パーツ１１３の両端に形成された第３水平嵌合部材１１３ｃは、第２分割パーツ１１２の第２水平嵌合部材１１２ｃ及び第４分割パーツ１１４の第４水平嵌合部材１１４ｃと嵌め合わされる。
【００５０】
水平嵌合部材１１１ｃ，１１２ｃ，１１３ｃ，１１４ｃが上下方向から互いに嵌め合わせられた後、水平方向に分離されないように、水平嵌合部材１１１ｃ，１１２ｃ，１１３ｃ，１１４ｃを形成する突起の端が、突起の他の部分の幅に比べて広い幅を有するか、または曲げられて形成され、溝が突起の形状に対応した形状を有するのが好ましい。ただし、水平嵌合部材１１１ｃ，１１２ｃ，１１３ｃ，１１４ｃは、水平方向に分離されない限り、任意の形状で形成することができる。
【００５１】
図５に示すように、各分割パーツ１１１，１１２，１１３，１１４が、水平嵌合部材１１１ｃ，１１２ｃ，１１３ｃ，１１４ｃにより接続された後に、接続を補強するために水平嵌合部材１１１ｃ，１１２ｃ，１１３ｃ，１１４ｃの接続部にパンチまたはチゼルなどを用いてくぼみ１１５を形成することができる。このように水平嵌合部材１１１ｃ，１１２ｃ，１１３ｃ，１１４ｃの接続部にくぼみ１１５を形成して接続部に物理的な変形を加えることによって、各分割パーツ１１１，１１２，１１３，１１４が分離されるのを防止することができる。第２収納容器１１０の優れた外観を確保するために、本実施形態のようにくぼみ１１５を上壁１１１ｂ，１１２ｂ，１１３ｂ，１１４ｂの内側面に形成することができる。ただし、本発明はこれに限定されず、くぼみ１１５を上壁１１１ｂ，１１２ｂ，１１３ｂ，１１４ｂの外側面に形成することもできる。
【００５２】
以下、図６〜図８を参照して本発明の他の実施形態による第２収納容器を説明する。ここで図６は本発明の他の実施形態による第２収納容器を部分的に拡大した斜視図であり、図７は図６の第２収納容器を組立てた斜視図であり、図８は図６の第２収納容器の背面斜視図である。説明の便宜上、前述の実施形態の図面（図１〜図５）に示した各部材と同じ機能を有する部材は同じ符号で示し、その説明は省略する。
【００５３】
図６及び図７に示すように、第２収納容器を構成する第１及び第２分割パーツ２１１，２１２にそれぞれ形成された第１及び第２水平嵌合部材２１１ｃ，２１２ｃは、それぞれ多数の突起または多数の溝で形成することができる。したがって第１及び第２水平嵌合部材２１１ｃ，２１２ｃをよりしっかりと接続することができる。
【００５４】
図８に示すように、第１及び第２分割パーツ２１１，２１２が、第１及び第２水平嵌合部材２１１ｃ，２１２ｃにより接続された後に、接続部を補強するために第１及び第２水平嵌合部材２１１ｃ，２１２ｃの接続部にパンチまたはチゼルなどを用いてくぼみ１１５を形成することができる。このように第１及び第２水平嵌合部材２１１ｃ，２１２ｃの接続部にくぼみ１１５を形成して接続部に物理的な変形を加えることによって第１及び第２分割パーツ２１１，２１２が分離されるのを防止することができる。第２収納容器の優れた外観を確保するために、本実施形態のようにくぼみ１１５を上壁１１１ａ，１１２ｂの内側面に形成することができる。ただし本発明はこれに限定されず、くぼみ１１５を上壁１１１ａ，１１２ｂの外側面に形成することもできる。
【００５５】
図示しないが、第２収納容器を構成する第３及び第４分割パーツにも前述した水平嵌合部材２１１ｃ，２１２ｃ及びくぼみ１１５が同様に適用できる。
【００５６】
以下、図９及び図１０を参照して本発明のさらなる実施形態による第２収納容器を説明する。ここで図９は本発明のさらなる実施形態による第２収納容器を部分的に拡大した斜視図であり、図１０は図９の第２収納容器を組立てた斜視図である。説明の便宜上、前述の実施形態の図面（図１〜図５）に示した各部材と同じ機能を有する部材は同じ符号で示し、その説明は省略する。
【００５７】
図９及び図１０に示すように、第１及び第２分割パーツ３１１，３１２は、垂直方向の接続を補強するために、それぞれ第１及び第２垂直嵌合部材３１１ｄ，３１２ｄを含む。
【００５８】
具体的に、第１及び第２分割パーツ３１１，３１２の第１及び第２側壁１１１ａ，１１２ａの端には、それぞれ第１及び第２垂直嵌合部材３１１ｄ，３１２ｄが形成されている。第１及び第２垂直嵌合部材３１１ｄ，３１２ｄは、互いに嵌め合わせることができるように突起または溝で形成されている。
【００５９】
垂直嵌合部材３１１ｄ，３１２ｄが互いに嵌め合わせられた後、垂直方向に分離されない限り、垂直嵌合部材３１１ｄ，３１２ｄは任意の形状で形成することができる。
図示しないが、第２収納容器を構成する第３及び第４分割パーツにも前述した垂直嵌合部材３１１ｄ，３１２ｄが同様に適用できる。
【００６０】
以上説明した本発明の実施形態による液晶表示装置は、導光板を備えず複数のランプを底面に配列した構造を有する直下型バックライトユニットを一例として使用したが、導光板の側部にランプを備えるエッジライト型のバックライトユニットも同様に使用できる。
【００６１】
エッジライト型のバックライトユニットの場合、くさび形の導光板の一側部にランプアセンブリを備えるウエッジタイプのバックライトユニットが一例として挙げられ、平板形状を有する導光板の両側部にランプアセンブリを備えるフラットタイプのバックライトユニットがもう１つの例として挙げられる。
【００６２】
以上、添付する図面を参照して本発明の実施形態を説明したが、本発明は前記実施形態に限定されず、相異なる多様な形態によって製造でき、本発明の属する技術分野における通常の知識を有する者は、本発明の技術的な思想や必須の特徴を変更せずに他の具体的な形態によって実施できるということが理解できる。したがって前述した実施形態はあらゆる面で例示的なものであって、限定的なものではないことを理解しなければならない。
【産業上の利用可能性】
【００６３】
本発明は収納容器及びこれを備える表示装置に関し、より詳しくは製作コスト及び製作時間を低減し、容易に組立て及び運送できる収納容器及びこれを備える表示装置に関する。
【図面の簡単な説明】
【００６４】
【図１】本発明の一実施形態による液晶表示装置を示す分解斜視図である。
【図２】図１の液晶表示装置に含まれた第２収納容器の分解斜視図である。
【図３】図２の第２収納容器を部分的に拡大した斜視図である。
【図４】図３の第２収納容器を組立てた斜視図である。
【図５】図４の第２収納容器の背面斜視図である。
【図６】本発明の他の実施形態による第２収納容器を部分的に拡大した斜視図である。
【図７】図６の第２収納容器を組立てた斜視図である。
【図８】図６の第２収納容器の背面斜視図である。
【図９】本発明のさらなる実施形態による第２収納容器を部分的に拡大した斜視図である。
【図１０】図９の第２収納容器を組立てた斜視図である。
【符号の説明】
【００６５】
１００    液晶表示装置、
１１０    第２収納容器、
１１１，１１２，１１３，１１４，２１１，２１２，３１１，３１２    分割パーツ、
１１１ａ，１１２ａ，１１３ａ，１１４ａ    側壁、
１１１ｂ，１１２ｂ，１１３ｂ，１１４ｂ    上壁、
１１１ｃ，１１２ｃ，１１３ｃ，１１４ｃ，２１１ｃ，２１２ｃ    水平嵌合部材、
１１５    くぼみ、
１３０    液晶パネルアセンブリ、
１３１    ゲートテープキャリアパッケージ、
１３２    データテープキャリアパッケージ、
１３３    薄膜トランジスタ基板、
１３４    共通電極基板、
１３５    印刷回路基板、
１３６    液晶パネル、
１４０    バックライトユニット、
１４１    光学シート、
１４２    拡散板、
１４３    ランプ、
１４４    反射板、
１４５    ランプ固定ユニット、
１５０    収納フレーム、
１６０    第１収納容器、
３１１ｄ，３１２ｄ    垂直嵌合部材。
【図１】
2008116903.tif 000003
【図２】
2008116903.tif 000004
【図３】
2008116903.tif 000005
【図４】
2008116903.tif 000006
【図５】
2008116903.tif 000007
【図６】
2008116903.tif 000008
【図７】
2008116903.tif 000009
【図８】
2008116903.tif 000010
【図９】
2008116903.tif 000011
【図１０】
2008116903.tif 000012